(57)【要約】【課題】アプリケーションにおいて、ユーザが複数の商品のレンタル予約を効率的に実施できるようにする。【解決手段】レンタル対象の複数の商品を示す第１の画面を表示し、第１の画面において、複数の商品のうちから、一部の商品の選択を受け付け、一部の商品の全てを一括してレンタル可能かを、カレンダーの日付毎に判別可能に示すと共に、一部の商品それぞれの再選択を受け付ける第２の画面３４を表示し、第２の画面３４において、一部の商品のうちの第１の商品の選択が解除された場合に、一部の商品から第１の商品を除く残りの商品の全てを一括してレンタル可能かを、カレンダーの日付毎に判別可能に示す第３の画面３３を表示する。【選択図】図６
2020187538.tif 000002
【特許請求の範囲】
【請求項１】
レンタル対象の複数の商品を示す第１の画面を表示し、
前記第１の画面において、前記複数の商品のうちから、一部の商品の選択を受け付け、
前記一部の商品の全てを一括してレンタル可能かを、カレンダーの日付毎に判別可能に示すと共に、前記一部の商品それぞれの再選択を受け付ける第２の画面を表示し、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する、
画面表示方法。
【請求項２】
前記複数の商品は、衣類及び宝飾品である、
請求項１に記載の画面表示方法。
【請求項３】
前記第３の画面は、前記第２の画面を更新することによって生成される、
請求項１又は２に記載の画面表示方法。
【請求項４】
前記第２の画面又は前記第３の画面において前記カレンダーに表示された日付のうちから、レンタル開始日の入力を受け付ける、
請求項１〜３のいずれか１項に記載の画面表示方法。
【請求項５】
コンピュータに、
レンタル対象の複数の商品を示す第１の画面を表示し、
前記第１の画面において、前記複数の商品のうちから、一部の商品の選択を受け付け、
前記一部の商品の全てを一括してレンタル可能かを、カレンダーの日付毎に判別可能に示すと共に、前記一部の商品それぞれの再選択を受け付ける第２の画面を表示し、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する、
処理を実行させる、画面表示プログラム。
【請求項６】
レンタル対象の複数の商品を表示する第１の画面を示す第１画面表示処理部と、
前記第１の画面において、前記複数の商品のうちから、一部の商品の選択を受け付ける選択受付処理部と、
前記一部の商品の全てを一括してレンタル可能かを、カレンダーの日付毎に判別可能に示すと共に、前記一部の商品それぞれの再選択を受け付ける第２の画面を表示する第２画面表示処理部と、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する第３画面表示処理部と、
を備える、端末装置。
【請求項７】
端末装置と接続される情報処理装置であって、
レンタル対象の複数の商品を示す第１の画面を前記端末装置に表示させる第１画面表示制御部と、
前記第１の画面において、前記複数の商品のうちから、一部の商品の選択を前記端末装置から受け付ける選択受付制御部と、
前記一部の商品の全てを一括してレンタル可能かを、カレンダーの日付毎に判別可能に示すと共に、前記一部の商品それぞれの再選択を受け付ける第２の画面を前記端末装置に表示させる第２画面表示制御部と、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を前記端末装置に表示させる第３画面表示制御部と、
を備える、情報処理装置。
【発明の詳細な説明】
【技術分野】
【０００１】
本発明は、画面表示方法，画面表示プログラム，端末装置及び情報処理装置に関する。
【背景技術】
【０００２】
ユーザに対して希望する商品をレンタルする様々なサービスが存在する。
【０００３】
例えば、実施予定の作業に対して必要な機材をレンタルする技術がある。実施予定の作業とレンタル開始日と工事期間等とが指定されると、その作業に必要な必要機材一覧とレンタル価格と各必要機材のレンタル可否とが一覧で表示される。また、指定された機材のそれぞれについて、レンタルできる日とできない日とがカレンダー形式で確認可能である。
【先行技術文献】
【特許文献】
【０００４】
【特許文献１】特開２００４−１６４１８３号公報
【発明の概要】
【発明が解決しようとする課題】
【０００５】
しかしながら、上述した技術では、指定された１つ１つの必要機材についてレンタル可能な日付をカレンダーによって確認することができるものの、必要機材の全てがレンタル可能な日付をカレンダーによって確認することはできない。
【０００６】
また、衣服のレンタルにおいては、ある画面でユーザにレンタルを希望するアイテムを選択させて、レンタル期間を指定する別画面でユーザが選択したアイテム全てについて一式の衣服でのレンタル可否をカレンダー形式で表示することが想定される。ユーザは、カレンダーの表示を参考にして、レンタル期間を選択する。
【０００７】
しかしながら、ユーザが希望のレンタル期間において選択したアイテムの少なくとも一部が借りられないことをカレンダーによって把握した場合には、いずれかのアイテムをレンタル対象から除外して新たにレンタル可否が確認される。新たなレンタル可否の確認のためには、一度、アイテムの選択画面に戻ってアイテムの選択を再度実施することとなり、ユーザの操作が煩雑になる。
【０００８】
１つの側面では、アプリケーションにおいて、ユーザへ複数の商品のレンタル予約を効率的に実施できる画面表示を提供することを目的とする。
【課題を解決するための手段】
【０００９】
１つの側面では、画面表示方法は、レンタル対象の複数の商品を示す第１の画面を表示し、前記第１の画面において、前記複数の商品のうちから、一部の商品の選択を受け付け、前記一部の商品の全てを一括してレンタル可能かを、カレンダーの日付毎に判別可能に示すと共に、前記一部の商品それぞれの再選択を受け付ける第２の画面を表示し、前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する。
【発明の効果】
【００１０】
１つの側面では、アプリケーションにおいて、ユーザへ複数の商品のレンタル予約を効率的に実施できる画面表示を提供できる。
【図面の簡単な説明】
【００１１】
【図１】実施形態の一例における情報処理システムの構成例を模式的に示すブロック図である。
【図２】図１に示したサーバ装置及び端末装置のハードウェア構成例を模式的に示すブロック図である。
【図３】図１に示したサーバ装置の機能構成例を模式的にブロック図である。
【図４】図１に示した端末装置の機能構成例を模式的にブロック図である。
【図５】図１に示した端末装置における画面遷移例を示す図である。
【図６】図１に示した端末装置における画面遷移例を示す図である。
【図７】図１に示した端末装置における画面遷移例を示す図である。
【図８】図１に示した情報処理システムにおいて商品に対する予約が入っていない場合のカレンダーの表示例である。
【図９】図１に示した情報処理システムにおいて商品に対する予約が入っている場合のカレンダーの表示例である。
【図１０】図１に示した情報処理システムにおいて商品に対する仮押さえが入っている場合のカレンダーの表示例である。
【図１１】図１に示した情報処理システムにおける商品情報をテーブル形式で例示する図である。
【図１２】図１に示した情報処理システムにおける在庫情報をテーブル形式で例示する図である。
【図１３】図１に示した情報処理システムにおける複数の商品に対する予約可否の判定処理の概要を説明する図である。
【図１４】図１に示した情報処理システムにおける１つの商品に対する予約可否の判定処理の詳細を説明する図である。
【図１５】図１に示した情報処理システムにおける複数の商品に対する予約可否の判定処理の詳細を説明する図である。
【図１６】図１に示した情報処理システムにおける商品の予約処理を説明するシーケンス図である。
【図１７】図１に示した情報処理システムにおける商品の予約処理を説明するシーケンス図である。
【図１８】図１に示したサーバ装置における商品の予約可否の判定処理を説明するフローチャートである。
【発明を実施するための形態】
【００１２】
以下、図面を参照して一実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。
【００１３】
また、各図は、図中に示す構成要素のみを備えるという趣旨ではなく、他の機能等を含むことができる。
【００１４】
以下、図中において、同一の各符号は同様の部分を示しているので、その説明は省略する。
【００１５】
〔Ａ〕実施形態の一例
〔Ａ−１〕システム構成例
図１は、実施形態の一例における情報処理システム１００の構成例を模式的に示すブロック図である。
【００１６】
情報処理システム１００は、サーバ装置１及び複数（図示する例では３つ）の端末装置２を備える。サーバ装置１と端末装置２とは、ネットワーク３を介して、互いに通信可能に接続される。
【００１７】
サーバ装置１は、情報処理装置の一例であり、サーバ機能を備えたコンピュータである。図１に示す例においては情報処理システム１００が１つのサーバ装置１を備えることとしているが、情報処理システム１００が備えるサーバ装置１の数は種々変更することができる。
【００１８】
端末装置２は、スマートフォンやフィーチャーフォン，タブレット端末，パーソナルコンピュータ等であり、サーバ装置１から受信した種々の情報を表示装置１３０（図２を用いて後述）に表示させる。
【００１９】
図２は、図１に示したサーバ装置１及び端末装置２のハードウェア構成例を模式的に示すブロック図である。
【００２０】
サーバ装置１及び端末装置２は、ＣＰＵ１１，メモリ１２，表示制御部１３，記憶装置１４，入力Interface（Ｉ／Ｆ）１５，読み書き処理部１６及び通信Ｉ／Ｆ１７を備える。
【００２１】
メモリ１２は、記憶部の一例であり、例示的に、Read Only Memory（ＲＯＭ）及びRandom Access Memory（ＲＡＭ）を含む記憶装置である。メモリ１２のＲＯＭには、Basic Input/Output System（ＢＩＯＳ）等のプログラムが書き込まれてよい。メモリ１２のソフトウェアプログラムは、ＣＰＵ１１に適宜に読み込まれて実行されてよい。また、メモリ１２のＲＡＭは、一次記録メモリあるいはワーキングメモリとして利用されてよい。
【００２２】
表示制御部１３は、表示装置１３０と接続され、表示装置１３０を制御する。表示装置１３０は、液晶ディスプレイやOrganic Light-Emitting Diode（ＯＬＥＤ）ディスプレイ，Cathode Ray Tube（ＣＲＴ），電子ペーパーディスプレイ等であり、オペレータ等に対する各種情報を表示する。表示装置１３０は、入力装置と組み合わされたものでもよく、例えば、タッチパネルでもよい。
【００２３】
記憶装置１４は、例示的に、データを読み書きして記憶する装置であり、例えば、Hard Disk Drive（ＨＤＤ）やSolid State Drive（ＳＳＤ），Storage Class Memory（ＳＣＭ）が用いられてよい。
【００２４】
入力Ｉ／Ｆ１５は、マウス１５１やキーボード１５２等の入力装置と接続され、マウス１５１やキーボード１５２等の入力装置を制御してよい。マウス１５１やキーボード１５２は、入力装置の一例であり、これらの入力装置を介して、オペレータが各種の入力操作を行なう。
【００２５】
読み書き処理部１６は、記録媒体１６０が装着可能に構成される。読み書き処理部１６は、記録媒体１６０が装着された状態において、記録媒体１６０に記録されている情報を読み取り可能に構成される。本例では、記録媒体１６０は、可搬性を有する。例えば、記録媒体１６０は、フレキシブルディスク、光ディスク、磁気ディスク、光磁気ディスク、又は、半導体メモリ等である。
【００２６】
通信Ｉ／Ｆ１７は、外部装置との通信を可能にするためのインタフェースである。
【００２７】
ＣＰＵ１１は、種々の制御や演算を行なう処理装置であり、メモリ１２に格納されたOperating System（ＯＳ）やプログラムを実行することにより、種々の機能を実現する。
【００２８】
サーバ装置１及び端末装置２全体の動作を制御するための装置は、ＣＰＵ１１に限定されず、例えば、ＭＰＵやＤＳＰ，ＡＳＩＣ，ＰＬＤ，ＦＰＧＡのいずれか１つであってもよい。また、サーバ装置１及び端末装置２全体の動作を制御するための装置は、ＣＰＵ，ＭＰＵ，ＤＳＰ，ＡＳＩＣ，ＰＬＤ及びＦＰＧＡのうちの２種類以上の組み合わせであってもよい。なお、ＭＰＵはMicro Processing Unitの略称であり、ＤＳＰはDigital Signal Processorの略称であり、ＡＳＩＣはApplication Specific Integrated Circuitの略称である。また、ＰＬＤはProgrammable Logic Deviceの略称であり、ＦＰＧＡはField Programmable Gate Arrayの略称である。
【００２９】
図３は、図１に示したサーバ装置１の機能構成例を模式的にブロック図である。
【００３０】
サーバ装置１のＣＰＵ１１は、制御プログラム１０を実行することにより、図３に示すように、第１画面表示制御部１１１，選択受付制御部１１２，第２画面表示制御部１１３，第３画面表示制御部１１４として機能する。
【００３１】
第１画面表示制御部１１１は、レンタル対象の複数の商品を示す商品一覧画面３１（図５を用いて後述）を端末装置２に表示させる。なお、商品一覧画面３１は、第１の画面の一例である。
【００３２】
選択受付制御部１１２は、商品一覧画面３１において、複数の商品のうちから、一部の商品の選択を端末装置２から受け付ける。
【００３３】
第２画面表示制御部１１３は、一部の商品の全てを一括してレンタル可能かを、カレンダーの日付毎に判別可能に示すと共に、一部の商品それぞれの再選択を受け付ける商品再選択画面３４（図６を用いて後述）を端末装置２に表示させる。なお、商品再選択画面３４は、第２の画面の一例である。
【００３４】
また、第２画面表示制御部１１３は、商品再選択画面３４においてカレンダーに表示された日付のうちから、レンタル開始日の入力を端末装置２から受け付けてよい。
【００３５】
第３画面表示制御部１１４は、商品再選択画面３４において、一部の商品のうちの第１の商品の選択が解除された場合に、一部の商品から第１の商品を除く残りの商品の全てを一括してレンタル可能かを、カレンダーの日付毎に判別可能に示すカレンダー画面３３（図６を用いて後述）を端末装置２に表示させる。なお、カレンダー画面３３は、第３の画面の一例である。
【００３６】
また、第３画面表示制御部１１４は、商品再選択画面３４を更新することによってカレンダー画面３３を生成して、生成したカレンダー画面３３を端末装置２に表示させてよい。
【００３７】
更に、第３画面表示制御部１１４は、商品再選択画面３４においてカレンダーに表示された日付のうちから、レンタル開始日の入力を端末装置２から受け付けてよい。
【００３８】
図４は、図１に示した端末装置２の機能構成例を模式的にブロック図である。
【００３９】
端末装置２のＣＰＵ１１は、処理プログラム２０を実行することにより、図４に示すように、第１画面表示処理部２１１，選択受付処理部２１２，第２画面表示処理部２１３，第３画面表示処理部２１４として機能する。
【００４０】
第１画面表示処理部２１１は、レンタル対象の複数の商品を表示する商品一覧画面３１を表示する。
【００４１】
選択受付処理部２１２は、商品一覧画面３１において、複数の商品のうちから、一部の商品の選択を受け付ける。
【００４２】
第２画面表示処理部２１３は、一部の商品の全てを一括してレンタル可能かを、カレンダーの日付毎に判別可能に表示すると共に、一部の商品それぞれの再選択を受け付ける商品再選択画面３４を表示する。
【００４３】
また、第２画面表示処理部２１３は、商品再選択画面３４においてカレンダーに表示された日付のうちから、レンタル開始日の入力を受け付けてよい。
【００４４】
第３画面表示処理部２１４は、商品再選択画面３４において、一部の商品のうちの第１の商品の選択が解除された場合に、一部の商品から第１の商品を除く残りの商品の全てを一括してレンタル可能かを、カレンダーの日付毎に判別可能に表示するカレンダー画面３３を表示する。
【００４５】
また、第３画面表示処理部２１４は、商品再選択画面３４を更新することによって生成されたカレンダー画面３３を表示してよい。
【００４６】
更に、第３画面表示処理部２１４は、商品再選択画面３４においてカレンダーに表示された日付のうちから、レンタル開始日の入力を受け付けてよい。
【００４７】
図５〜図７は、図１に示した端末装置２における画面遷移例を示す図である。
【００４８】
図５〜図７に示される各画面３１〜３６は、端末装置２における表示装置１３０に表示される。
【００４９】
図５において、符号Ａ１に示すように、端末装置２には、商品一覧画面３１が表示される。商品一覧画面３１は、レンタル対象の複数の商品を表示する。図示する例では、レンタル対象の商品として、ワンピース，スカート，コート及びサイフが表示されている。すなわち、レンタル対象の複数の商品は、衣類及び宝飾品であってよい。
【００５０】
符号Ａ１１に示すように、商品一覧画面３１には、ＱＲコード（登録商標）の読み取りボタンが表示されてよい。読み取りボタンが押されることにより、端末装置２に取り付けられているカメラ（不図示）が起動して、実店舗に陳列されている商品のタグに表示されているＱＲコードがカメラで読み取られてよい。これにより、オンラインでの商品のレンタルサービスの他に、実店舗での商品のレンタルサービスを提供することができる。
【００５１】
なお、オンラインでの商品の選択は、商品一覧画面３１を用いて行なう方式に限定されるものではない。例えば、チャット画面において、商品の販売担当者、友人同士又は人工知能と会話することによって、商品の選択が行なわれてもよい。
【００５２】
商品一覧画面３１において１以上の商品が選択されることにより、符号Ａ２に示すように、端末装置２には、レンタルカート（Rental Cart）画面３２が表示される。レンタルカート画面３２には、商品一覧画面３１で選択された１以上の商品に関するレンタル価格等の情報が表示される。図示する例では、オンライン（ONLINE）でのレンタルサービスによるレンタル希望の商品として、ワンピース，コート及びサイフの３つが選択されている。
【００５３】
レンタルカート画面３２では、レンタル希望の各商品のサイズや色，数量が選択可能であってよい。また、レンタルカート画面３２では、選択された１以上の商品のレンタル価格の合計が表示されてよい。
【００５４】
符号Ａ２１に示すように、「レンタル予約日の設定へ」ボタンが押されることにより、選択された１以上の商品のレンタル予約日を設定できる。
【００５５】
図６において、符号Ａ３に示すように、端末装置２には、レンタル予約日を設定するためのカレンダー画面３３が表示される。
【００５６】
符号Ａ３１に示すように、カレンダー画面３３には、予約開始日を選択するためのカレンダーが表示される。図示するカレンダーは、現在の日付が２０１９年４月８日である例を示しており、２０１９年４月の各日付における選択された全商品の予約の可否を示している。カレンダーにおいて、４月８日よりも前の各日付は過去の日付であるため、予約の可否が表示されていない（斜線ハッチング領域を参照）。
【００５７】
現在の日付である４月８日から４月１１日までの４日間は、商品の配送が間に合わない可能性があるため、ＱＲコードを用いた実店舗でのレンタルサービスに限って利用可能であることを示す「ＱＲ」マークが示されている。
【００５８】
現在の日付である４月８日の４日後以降である４月１２日以降は、各日付について、選択された全商品の予約の可否を示す「○」，「△」又は「×」が表示される。
【００５９】
「○」マークは、選択された全商品のレンタルが可能である日付を示す。
【００６０】
「△」マークは、選択された全商品のうち少なくとも一部の商品についての他のユーザからの返却が現時点において完了していないため、選択された全商品のうち少なくとも一部の商品のレンタルが不可となる可能性がある日付を示す。
【００６１】
「×」マークは、選択された全商品のうち少なくとも一部の商品について、他のユーザがレンタル中などであり、レンタルが不可である日付を示す。レンタルが不可である状態は、例えば、レンタル中である状態や、返却のための配送中や、クリーニング中であって在庫化されていない状態をいう。
【００６２】
符号Ａ３１に示すカレンダーにおいて、「○」又は「△」の日付が選択されることにより、予約開始日が選択される。一方、符号Ａ３１に示すカレンダーにおいて「×」の日付が選択された場合、又は、符号Ａ３２に示す選択中商品ボタンが押された場合に、符号Ａ４に示す商品再選択画面３４が表示されてよい。
【００６３】
また、カレンダー画面３３には、符号Ａ５２において後述する期間の選択ためのプルダウンボックスと、符号Ａ５３を用いて後述する「配送・支払い方法の選択へ」ボタンとが表示されてよい。なお、「配送・支払い方法の選択へ」ボタンは、予約開始日及び期間が選択される前には非アクティブな状態である。
【００６４】
図示する例では、ユーザが予約開始日を４月１８日に設定したいものの、４月１８日には「×」マークが表示されており、選択した商品のうち少なくとも一部がレンタル不可な状態である。そこで、４月１８日の「×」マーク又は符号Ａ３２に示す選択中商品ボタンが押される。
【００６５】
これにより、符号Ａ４に示すように、商品再選択画面３４には、カレンダー画面３３に表示されていたカレンダーと共に、レンタルカート内の商品一覧がポップアップ形式で表示されてよい。
【００６６】
符号Ａ４１に示すように、商品一覧において、各商品に対応するチェックボックスが表示されてよい。レンタルをやめたい商品のチェックボックスからチェックを外して「ＯＫ」ボタンが押されることにより、チェックが外された商品はレンタルカートから削除され、符号Ａ５におけるカレンダー画面３３が再表示される。符号Ａ４１に示す商品一覧では、サイフがレンタルカートから削除されている。
【００６７】
なお、レンタルカート内の商品が多数あって符号Ａ４１に示す領域に表示しきれない場合には、符号Ａ４１において表示されている各商品が画面横方向にスライド操作されることにより、表示しきれていない商品が表示されるようにしてよい。
【００６８】
また、レンタルカートから商品が削除された場合には、削除された商品の代わりとなる推奨の商品が画面に表示されてもよい。
【００６９】
符号Ａ５に示すように、レンタルカート内の一部の商品が削除されることにより、カレンダー画面３３のカレンダーにおける予約可否の表示が更新される。図示する例では、符号Ａ３に示したカレンダー画面３３において「×」マークの日付だった４月１７日〜１９日が「○」マークに更新されている。
【００７０】
そこで、符号５１に示すように、予約開始日として、カレンダー内の４月１８日が選択される。
【００７１】
また、符号Ａ５２に示すように、レンタル希望の期間がプルダウンボックスによって選択されてよい。図示する例では、３日間が選択されている。これにより、符号Ａ５１に示すように、カレンダーにおいて、４月１８日から３日間の期間である４月１８日〜４月２０日が強調表示される（網掛けハッチング領域を参照）。
【００７２】
そして、符号Ａ５３に示すように、「配送・支払い方法の選択へ」ボタンが押されることによって、図７の符号Ａ６に示す削除商品確認画面３５が表示される。
【００７３】
図７において、符号Ａ６に示すように、削除商品確認画面３５には、図６の符号Ａ５において示したカレンダー画面３３の上に、レンタルカート内から削除された商品がポップアップ形式により表示されてよい。
【００７４】
符号Ａ６１に示すように、レンタルカート内から削除された商品が選択されていない状態においてレンタルを進めてもよいかの確認領域が表示される。図示する例では、図６の符号Ａ４においてレンタルカートから削除されたサイフが表示される。
【００７５】
ここで、符号Ａ６１の確認領域内の「ＯＫ」ボタンが押されると、次の画面へ進む。一方、符号Ａ６１の確認領域内の「Cancel」ボタンが押されると、符号Ａ６１の確認領域が非表示になり、図６の符号Ａ５に示したカレンダー画面３３に戻る。
【００７６】
なお、レンタルカートから削除された商品が複数ある場合には、符号Ａ６１に示す確認領域が画面横方向にスライド操作されることにより、次の商品が表示されてよい。
【００７７】
レンタルカートから削除された商品が１つもない場合には、図６の符号Ａ５に示したカレンダー画面３３の後に、削除商品確認画面３５は表示されず、次の符号Ａ７に示すレンタルカート画面３２が表示される。
【００７８】
符号Ａ７に示すように、レンタルカート画面３２には、選択された商品一覧が表示される。符号Ａ７に示すレンタルカート画面３２では、図５の符号Ａ２で示したレンタルカート画面３２における表示内容に加えて、設定されたレンタル予約期間が表示される。
【００７９】
図示する例では、レンタルカート画面３２において、レンタル希望の商品から除かれたサイフ以外のワンピース及びコートが表示されている。また、レンタル予約期間として、設定された2019.04.18-2019.04.20が表示されている。
【００８０】
そして、符号Ａ７１に示すように、「配送・支払い方法の選択へ」ボタンが押されることにより、次の画面に進む。
【００８１】
符号Ａ８に示すように、配送方法選択画面３６には、レンタルする商品を店舗で受け取るか、配送先を指定して受け取るかを選択する画面が表示される。配送方法選択画面３６において配送方法が選択された後に、符号Ａ８１に示すように、「支払い方法の選択へ」ボタンが押されることにより、支払い方法を選択するための画面（不図示）が表示されて、商品のレンタル予約が完了する。
【００８２】
図８は、図１に示した情報処理システム１００において商品に対する予約が入っていない場合のカレンダーの表示例である。
【００８３】
図８に示すように、レンタルカート内の全商品に対しての予約が入っていない場合には、現在の日付（斜線ハッチング領域を参照）から３日後までは、実店舗でのＱＲコードを用いたレンタルしかできないことを示す「ＱＲ」マークが表示されてよい。
【００８４】
また、現在の日付の４日後から２１日後までは、オンライン及び実店舗でのレンタルが可能であることを示す「○」マークが表示されてよい。
【００８５】
更に、現在の日付の２２日後以降は、予約開始日の前であるため、まだレンタルの予約ができないことを示す「×」マークが表示されてよい。
【００８６】
図９は、図１に示した情報処理システム１００において商品に対する予約が入っている場合のカレンダーの表示例である。
【００８７】
図９では、レンタルカート内の少なくとも一部の商品に対しての他のユーザによる予約が、現在の日付（斜線ハッチング領域を参照）の８日後から１０日後までの３日間（網掛けハッチング領域を参照）で入っている場合について示す。
【００８８】
この場合には、現在の日付からレンタル期間の前日までは、レンタル前の在庫確保期間として、「×」マークが表示されてよい。
【００８９】
レンタル期間である現在の日付の８日後から１０日後までの３日間にも、「×」マークが表示されてよい。
【００９０】
レンタル期間後のクリーニング期間である現在の日付の１１日後から１９日後までの９日間にも、「×」マークが表示されてよい。
【００９１】
クリーニング期間後である現在の日付の２０日後から２１日後までは、他のユーザによる商品返却やクリーニングの遅れによってレンタルが不可になる可能性があるため、「△」マークが表示されてよい。
【００９２】
現在の日付の２２日後以降は、予約開始日の前であるため、まだレンタルの予約ができないことを示す「×」マークが表示されてよい。
【００９３】
図１０は、図１に示した情報処理システム１００において商品に対する仮押さえが入っている場合のカレンダーの表示例である。
【００９４】
図１０では、レンタルカート内の少なくとも一部の商品について、他のユーザが先にレンタルカートに入れているため、一部の商品に対する仮押さえが発生している場合を示す。他のユーザは、現在の日付（斜線ハッチング領域を参照）の１日後から３日後（網掛けハッチング領域を参照）において仮押さえを行なっている。
【００９５】
この場合には、現在の日付から仮押さえ期間が終わる３日後までは、「×」マークが表示されてよい。
【００９６】
また、現在の日付の４日後から２１日後までは、他のユーザによるレンタルが確定することによりレンタルが不可になる可能性があるため、「△」マークが表示されてよい。
【００９７】
更に、現在の日付の２２日後以降は、予約開始日の前であるため、まだレンタルの予約ができないことを示す「×」マークが表示されてよい。
【００９８】
図１１は、図１に示した情報処理システム１００における商品情報をテーブル形式で例示する図である。
【００９９】
図１１に示すように、商品情報は、例えば、グッズコード，商品名及びレンタル価格を含む。商品情報では、サイズ違いやカラー違いの商品に対して、同一のグッズコードが設定される。また、商品情報では、複数の在庫がある同一の商品に対しても、同一のグッズコードが設定される。
【０１００】
図５の符号Ａ１に示した商品一覧画面３１は、商品情報を参照することによって表示される。
【０１０１】
商品情報は、例えば、サーバ装置１の記憶装置１４に格納される。
【０１０２】
図１２は、図１に示した情報処理システム１００における在庫情報をテーブル形式で例示する図である。
【０１０３】
図１２に示すように、在庫情報は、例えば、プロダクトコード，グッズコード，カラー，カラーコード，サイズ，在庫場所及びレンタル期間を含む。在庫情報では、Stock Keeping Unit（ＳＫＵ）の単位で商品を個体毎に管理する。すなわち、１つのグッズコードに対して、複数のプロダクトコードが設定されてよい。
【０１０４】
図示する例では、グッズコードG001のワンピースに対して、プロダクトコードP001〜P006の６つのカラー違い及びサイズ違いの商品が登録されている。また、図示する例では、グッズコードG004のサイフは、カラーもサイズも同一の個体が２つあるため、プロダクトコードP014及びP015が設定されている。
【０１０５】
在庫情報は、例えば、サーバ装置１の記憶装置１４に格納される。
【０１０６】
図１３は、図１に示した情報処理システム１００における複数の商品に対する予約可否の判定処理の概要を説明する図である。
【０１０７】
図６の符号Ａ３及びＡ５に示したカレンダー画面３３では、図１２に示した在庫情報を用いて、レンタルカート内の商品１つずつの在庫の検索が行なわれる（符号Ｂ１参照）。検索結果は、予約可能であることを示す「○」と、予約不可になる可能性があることを示す「△」と、予約不可であることを示す「×」とのいずれかである。そして、各商品の在庫の検索結果を「×」，「△」，「○」の優先順位で総合して、カレンダーの各日付におけるレンタル可否の判定が行なわれる（符号Ｂ２参照）。
【０１０８】
例えば、３つの商品がレンタルカートに入っている場合に、３つの商品の在庫検索をそれぞれ実施する。そして、「×」の商品が１つでもあれば全商品について「×」の判がされ、「×」の商品が１つもなく「△」の商品が１つでもあれば全商品について「△」の判定がされ、「×」の商品も「△」の商品もなければ全商品について「○」の判定がされる。
【０１０９】
なお、カレンダーの表示が「△」の日付が選択されると仮予約状態となり、前のユーザの返却の遅れ等によってレンタルが不可となった場合には、予約はキャンセルされてよい。
【０１１０】
図１４は、図１に示した情報処理システム１００における１つの商品に対する予約可否の判定処理の詳細を説明する図である。
【０１１１】
商品は、倉庫及び店舗において在庫として保管されてよい。図示する例では、倉庫＃１〜＃３及び店舗＃１〜＃３が商品保管拠点として配置されている。
【０１１２】
ここで、レンタルカートには、１つの商品が入れられている（符号Ｃ１参照）。全ての商品保管拠点に対して、商品の在庫の検索が行なわれる（符号Ｃ２参照）。
【０１１３】
そして、１箇所以上の商品保管拠点において指定されたレンタル予約期間にレンタルカート内の商品の在庫がある場合に、商品のレンタルが可能であると判定される。図示する例では、倉庫＃３にレンタルカート内の商品の在庫があるため、商品のレンタルが可能であると判定される（符号Ｃ３参照）。
【０１１４】
図１５は、図１に示した情報処理システム１００における複数の商品に対する予約可否の判定処理の詳細を説明する図である。
【０１１５】
レンタルカート内に複数の商品が入れられている場合には、レンタルカート内の全ての商品が揃っている商品保管拠点が検索されてよい。
【０１１６】
図示するように、レンタルカートには、３つの商品（別言すれば、商品グループ）が入れられている（符号Ｄ１参照）。全ての商品保管拠点に対して、商品の在庫の検索が行なわれる（符号Ｄ２参照）。
【０１１７】
図示する例では、倉庫＃１にはレンタルカート内の商品グループのうち１つの商品しか保管されていないため、倉庫＃１からのレンタルは不可であると判定される（符号Ｄ３参照）。また、倉庫＃３にはレンタルカート内の商品グループのうち２つの商品しか保管されていないため、倉庫＃３からのレンタルは不可であると判定される（符号Ｄ４参照）。一方、店舗＃３にはレンタルカート内の商品グループである３つの商品が全て保管されているため、店舗＃３からのレンタルは可能であると判定される（符号Ｄ５参照）。
【０１１８】
これにより、１箇所の商品保管拠点から一括して商品をユーザへ発送できるため、商品の配送コストを低減できる。
【０１１９】
なお、店舗＃３のようなレンタルカート内の全ての商品が揃っている商品保管拠点がない場合には、複数の商品保管拠点（図示する例では、倉庫＃１及び＃３）の商品を別々にユーザへ発送してもよい。
【０１２０】
実施形態の一例における商品のレンタルは、以下のパターン（１）〜（４）のいずれかによって、注文及び受け取りが行なわれてよい。
【０１２１】
パターン（１）：オンライン注文後、配送で受け取り
パターン（２）：オンライン注文後、店舗で受け取り
パターン（３）：店舗で注文後、店舗で受け取り
パターン（４）：店舗で注文後、配送で受け取り
【０１２２】
店舗での注文は、図５の符号Ａ１１において上述したように、ＱＲコードを使った注文であってよい。
【０１２３】
上記のパターン（１）及び（４）の場合には、現在の日付から４日目以降の注文が受け付けられ、倉庫及び店舗の両方の在庫が検索されてよい。
【０１２４】
上記パターン（２）の場合には、現在の日付から４日目以降の注文が受け付けられ、店舗及び倉庫の両方の在庫が行なわれてよい。ここで、受け取り店舗において注文した商品のうち少なくとも一部の商品の在庫がない場合には、他の商品保管拠点から取り寄せられる。また、受け取り店舗としては、注文した商品のうち少なくとも一部の商品の在庫がある店舗がユーザに案内されてよい。これにより、商品の配送コストを低減できる。
【０１２５】
上記のパターン（３）の場合には、現在の日付から３日目までの注文については注文が行なわれている店舗に限った在庫の検索が実施される一方、現在の日付から４日目以降の注文については店舗及び倉庫の両方の在庫の検索が実施されてよい。
【０１２６】
なお、上記パターン（２）及び（３）において、倉庫から店舗への配送が行なわれる場合には、商品の受け取り日までに配送が間に合う店舗と倉庫とが紐付けられて管理されてよい。これにより、例えば、沖縄県の店舗で商品を受け取る場合に、北海道の倉庫からの商品の配送を行なってしまうことによって、配送が間に合わなかったり、配送コストが増大してしまったりということを防止できる。
【０１２７】
〔Ａ−２〕動作例
図１に示した情報処理システム１００における商品の予約処理を、図１６及び図１７に示すシーケンス図（符号Ｅ１〜Ｅ２２）に従って説明する。
【０１２８】
図１６及び図１７に示す例では、図１に示したサーバ装置１及び端末装置２に加えて、店舗端末４が示されている。店舗端末４は、店舗の店員によって操作される端末であり、ユーザからの相談に基づき店員がお勧めの商品を提示するために使用されてよい。
【０１２９】
端末装置２は、ユーザからの商品レンタルのための相談メッセージを、サーバ装置１を中継して店舗端末４宛てに送信する（図１６の符号Ｅ１参照）。相談メッセージは、例えば、「レストランのディナーパーティーで着るトータルコーディネート」であってよい。
【０１３０】
店舗端末４は、店員の操作によって、商品Ａ，Ｂ，Ｃをユーザに勧めるために、商品Ａ，Ｂ，Ｃに関する情報をサーバ装置１に送信する（図１６の符号Ｅ２参照）。店員は、相談メッセージとして送信されてきた「レストランのディナーパーティーで着るトータルコーディネート」に基づき、商品Ａ，Ｂ，Ｃをユーザに勧めてよい。
【０１３１】
なお、図５において示したようにレンタル希望の商品が予め用意されている商品一覧画面３１から選択される場合には、符号Ｅ１及びＥ２における処理は省略されてよい。
【０１３２】
サーバ装置１は、端末装置２において商品Ａ，Ｂ，Ｃを画面に表示させるために、商品Ａ，Ｂ，Ｃに関する情報を端末装置２に送信する（図１６の符号Ｅ３参照）。
【０１３３】
端末装置２は、サーバ装置１に対して、商品Ａ，Ｂ，Ｃの詳細情報を要求する（図１６の符号Ｅ４参照）。
【０１３４】
サーバ装置１は、端末装置２において商品Ａ，Ｂ，Ｃの詳細情報を画面に表示させるために、商品Ａ，Ｂ，Ｃの詳細情報を端末装置２に送信する（図１６の符号Ｅ５参照）。
【０１３５】
端末装置２は、ユーザからの選択に基づき、商品Ａ，Ｂ，Ｃがカートに入れられたことをサーバ装置１に通知する（図１６の符号Ｅ６参照）。
【０１３６】
サーバ装置１は、カート内容として商品Ａ，Ｂ，Ｃを画面に表示させる（図１６の符号Ｅ７参照）。
【０１３７】
端末装置２は、ユーザからの選択に基づき、商品Ａ，Ｂ，Ｃのサイズ及び色の選択情報をサーバ装置１に送信する（図１６の符号Ｅ８参照）。
【０１３８】
サーバ装置１は、商品Ａ，Ｂ，Ｃの予約可否を示すカレンダーを作成する（図１６の符号Ｅ９参照）。なお、符号Ｅ９におけるカレンダーの作成処理の詳細については、図１８を用いて後述する。
【０１３９】
サーバ装置１は、端末装置２においてカレンダーを画面に表示させるために、カレンダーの情報を端末装置２に送信する（図１６の符号Ｅ１０参照）。
【０１４０】
ここで、カレンダーにおいて、ユーザが商品Ａ，Ｂ，Ｃのレンタルを希望する日付において、商品Ａ，Ｂ，Ｃをトータルでレンタルすることは不可であることが示されているものとする。
【０１４１】
そこで、端末装置２は、ユーザからの操作に基づき、商品Ｂがカートから削除されたことをサーバ装置１に通知する（図１６の符号Ｅ１１参照）。
【０１４２】
サーバ装置１は、商品Ａ，Ｃの予約可否を示すカレンダーを再び作成する（図１６の符号Ｅ１２参照）。なお、符号Ｅ１２におけるカレンダーの作成処理の詳細については、図１８を用いて後述する。
【０１４３】
サーバ装置１は、端末装置２においてカレンダーを画面に表示させるために、カレンダーの情報を端末装置２に送信する（図１６の符号Ｅ１３参照）。
【０１４４】
ここでは、カレンダーにおいて、ユーザが商品Ａ，Ｃのレンタルを希望する日付において、商品Ａ，Ｃをトータルでレンタルすることは可能であることが示されているものとする。
【０１４５】
端末装置２は、ユーザからの操作に基づき、レンタルを希望する日付及び期間を指定してサーバ装置１に通知する（図１７の符号Ｅ１４参照）。
【０１４６】
サーバ装置１は、端末装置２に対して、商品Ｂがカートから削除されたため未選択となっていることについて画面に表示させる（図１７の符号Ｅ１５参照）。
【０１４７】
端末装置２は、商品Ｂが未選択となっていることについてのユーザによる確認をサーバ装置１に応答する（図１７の符号Ｅ１６参照）。
【０１４８】
サーバ装置１は、カート内容として商品Ａ，Ｃを画面に表示させる（図１７の符号Ｅ１７参照）。
【０１４９】
端末装置２は、カートの内容についてのユーザによる確認をサーバ装置１に応答する（図１７の符号Ｅ１８参照）。
【０１５０】
サーバ装置１は、端末装置２に対して、配送方法の選択のための画面に表示させる（図１７の符号Ｅ１９参照）。
【０１５１】
端末装置２は、ユーザからの操作に基づき、配送方法の選択や住所の入力等を受け付けてサーバ装置１に通知する（図１７の符号Ｅ２０参照）。
【０１５２】
サーバ装置１は、端末装置２に対して、支払方法の選択のための画面に表示させる（図１７の符号Ｅ２１参照）。
【０１５３】
端末装置２は、ユーザからの操作に基づき、支払方法の選択やクレジットカード情報の入力等を受け付けてサーバ装置１に通知する（図１７の符号Ｅ２２参照）。そして、商品の予約処理は終了する。
【０１５４】
次に、図１に示したサーバ装置１における商品の予約可否の判定処理を、図１８に示すフローチャート（ステップＳ１〜Ｓ１６）に従って説明する。
【０１５５】
サーバ装置１は、システムから現在の日付ｄを受け付けると共に、端末装置２からｎ個の商品のリクエストを受け付ける（ステップＳ１）。
【０１５６】
サーバ装置１は、カレンダーの期間を現在の日付ｄから２１日後までに設定する（ステップＳ２）。
【０１５７】
サーバ装置１は、変数ｊを現在の日付ｄに設定する（ステップＳ３）。
【０１５８】
サーバ装置１は、変数ｋを１に設定する（ステップＳ４）。
【０１５９】
サーバ装置１は、変数ｊの日付について、ｋ個目の商品の予約可否を、予約可能であることを示す「○」，予約不可になる可能性があることを示す「△」，予約不可であることを示す「×」の中から選択する（ステップＳ５）。
【０１６０】
サーバ装置１は、変数ｋがリクエスト商品の個数ｎに達したかを判定する（ステップＳ６）。
【０１６１】
変数ｋがリクエスト商品の個数ｎに達していない場合には（ステップＳ６のＮｏルート参照）、サーバ装置１は、変数ｋを１インクリメントして（ステップＳ７）、処理はステップＳ５へ戻る。
【０１６２】
変数ｋがリクエスト商品の個数ｎに達した場合には（ステップＳ６のＹｅｓルート参照）、サーバ装置１は、リクエスト商品の中に予約可否が「×」の商品があるかを判定する（ステップＳ８）。
【０１６３】
予約可否が「×」の商品がある場合には（ステップＳ８のＹｅｓルート参照）、サーバ装置１は、変数ｊの日付について、ｎ個の商品の予約可否を「×」に設定する（ステップＳ９）。そして、処理はステップＳ１３へ進む。
【０１６４】
一方、予約可否が「×」の商品がない場合には（ステップＳ８のＮＯルート参照）、サーバ装置１は、リクエスト商品の中に予約可否が「△」の商品があるかを判定する（ステップＳ１０）。
【０１６５】
予約可否が「△」の商品がある場合には（ステップＳ１０のＹｅｓルート参照）、サーバ装置１は、変数ｊの日付について、ｎ個の商品の予約可否を「△」に設定する（ステップＳ１１）。そして、処理はステップＳ１３へ進む。
【０１６６】
予約可否が「△」の商品がない場合には（ステップＳ１０のＮｏルート参照）、サーバ装置１は、変数ｊの日付について、ｎ個の商品の予約可否を「○」に設定する（ステップＳ１２）。
【０１６７】
サーバ装置１は、変数ｊが現在の日付ｄの２１日後に達したかを判定する（ステップＳ１３）。
【０１６８】
変数ｊが現在の日付ｄの２１日後に達していない場合には（ステップＳ１３のＮｏルート参照）、サーバ装置１は、変数ｊを１インクリメントして（ステップＳ１４）、処理はステップＳ４へ戻る。
【０１６９】
一方、変数ｊが現在の日付ｄの２１日後に達した場合には（ステップＳ１３のＹｅｓルート参照）、サーバ装置１は、現在の日付ｄからｄ＋３までにおける「○」を「ＱＲ」マークに変更する（ステップＳ１５）。なお。ステップＳ１５における「ＱＲ」マークへの変更処理は、ステップＳ４における処理の後に実施されてもよい。
【０１７０】
サーバ装置１は、各日付における予約可否を設定したカレンダーの情報を端末装置２へ送信する（ステップＳ１６）。そして、サーバ装置１における商品の予約可否の判定処理は終了する。
【０１７１】
〔Ａ−３〕効果
上述した実施形態の一例における画面表示方法によれば、例えば、以下の作用効果を奏することができる。
【０１７２】
レンタル対象の複数の商品を示す商品一覧画面３１が表示される。商品一覧画面３１（第一の画面）において、複数の商品のうちから、一部の商品の選択が受け付けられる。第二の画面において、一部の商品の全てを一括してレンタル可能かを、カレンダーの日付毎に判別可能に示すと共に、一部の商品それぞれの再選択を受け付ける。そして、第二の画面において、一部の商品のうちの第１の商品の選択が解除された場合に、本実施形態は、第三の画面において、一部の商品から第１の商品を除く残りの商品の全てを一括してレンタル可能かを、カレンダーの日付毎に判別可能に示す。
【０１７３】
これにより、アプリケーションにおいて、ユーザが複数の商品のレンタル予約を効率的に実施できる。例えば、ユーザは、トータルコーディネートとしてセットでレンタルしたい複数の商品について、利用したい日にセットでレンタルできない場合に、妥協してもいい商品のレンタルを諦めれば他の商品がレンタル可能であるのか否かを認識できる。
【０１７４】
レンタル対象の複数の商品は、衣類及び宝飾品である。これにより、複数の衣類及び宝飾品のレンタルを効率的に実施できる。
【０１７５】
第三の画面は、第二の画面を更新することによって生成される。これにより、商品一覧画面３１（第一の画面）に戻らなくてもレンタルカートに入れた一部の商品を削除することができるため、ユーザは、効率的なレンタル予約ができる。
【０１７６】
第二の画面又は第三の画面においてカレンダーに表示された日付のうちから、レンタル開始日の入力を受け付ける。これにより、レンタル開始日の入力を直感的に行なうことができる。
【０１７７】
〔Ｂ〕その他
開示の技術は上述した実施形態に限定されるものではなく、本実施形態の趣旨を逸脱しない範囲で種々変形して実施することができる。本実施形態の各構成及び各処理は、必要に応じて取捨選択することができ、あるいは適宜組み合わせてもよい。
【０１７８】
〔Ｃ〕付記
以上の実施形態に関し、さらに以下の付記を開示する。
【０１７９】
（付記１）
レンタル対象の複数の商品を示す第１の画面を表示し、
前記第１の画面において、前記複数の商品のうちから、一部の商品の選択を受け付け、
前記一部の商品の全てを一括してレンタル可能かを、カレンダーの日付毎に判別可能に示すと共に、前記一部の商品それぞれの再選択を受け付ける第２の画面を表示し、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する、
画面表示方法。
【０１８０】
（付記２）
前記複数の商品は、衣類及び宝飾品である、
付記１に記載の画面表示方法。
【０１８１】
（付記３）
前記第３の画面は、前記第２の画面を更新することによって生成される、
付記１又は２に記載の画面表示方法。
【０１８２】
（付記４）
前記第２の画面又は前記第３の画面において前記カレンダーに表示された日付のうちから、レンタル開始日の入力を受け付ける、
付記１〜３のいずれか１項に記載の画面表示方法。
【０１８３】
（付記５）
コンピュータに、
レンタル対象の複数の商品を示す第１の画面を表示し、
前記第１の画面において、前記複数の商品のうちから、一部の商品の選択を受け付け、
前記一部の商品の全てを一括してレンタル可能かを、カレンダーの日付毎に判別可能に示すと共に、前記一部の商品それぞれの再選択を受け付ける第２の画面を表示し、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する、
処理を実行させる、画面表示プログラム。
【０１８４】
（付記６）
前記複数の商品は、衣類及び宝飾品である、
付記５に記載の画面表示プログラム。
【０１８５】
（付記７）
前記第２の画面を更新することによって生成された前記第３の画面を表示する、
処理を前記コンピュータに実行させる、付記５又は６に記載の画面表示プログラム。
【０１８６】
（付記８）
前記第２の画面又は前記第３の画面において前記カレンダーに表示された日付のうちから、レンタル開始日の入力を受け付ける、
処理を前記コンピュータに実行させる、付記５〜７のいずれか１項に記載の画面表示プログラム。
【０１８７】
（付記９）
レンタル対象の複数の商品を示す第１の画面を表示する第１画面表示処理部と、
前記第１の画面において、前記複数の商品のうちから、一部の商品の選択を受け付ける選択受付処理部と、
前記一部の商品の全てを一括してレンタル可能かを、カレンダーの日付毎に判別可能に示すと共に、前記一部の商品それぞれの再選択を受け付ける第２の画面を表示する第２画面表示処理部と、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を表示する第３画面表示処理部と、
を備える、端末装置。
【０１８８】
（付記１０）
前記複数の商品は、衣類及び宝飾品である、
付記９に記載の端末装置。
【０１８９】
（付記１１）
前記第３画面表示処理部は、前記第２の画面を更新することによって生成された前記第３の画面を表示する、
付記９又は１０に記載の端末装置。
【０１９０】
（付記１２）
前記第２画面表示処理部は、前記第２の画面において前記カレンダーに表示された日付のうちから、レンタル開始日の入力を受け付け、
前記第３画面表示処理部は、前記第２の画面において前記カレンダーに表示された日付のうちから、レンタル開始日の入力を受け付ける、
付記９〜１１のいずれか１項に記載の端末装置。
【０１９１】
（付記１３）
端末装置と接続される情報処理装置であって、
レンタル対象の複数の商品を示す第１の画面を前記端末装置に表示させる第１画面表示制御部と、
前記第１の画面において、前記複数の商品のうちから、一部の商品の選択を前記端末装置から受け付ける選択受付制御部と、
前記一部の商品の全てを一括してレンタル可能かを、カレンダーの日付毎に判別可能に示すと共に、前記一部の商品それぞれの再選択を受け付ける第２の画面を前記端末装置に表示させる第２画面表示制御部と、
前記第２の画面において、前記一部の商品のうちの第１の商品の選択が解除された場合に、前記一部の商品から前記第１の商品を除く残りの商品の全てを一括してレンタル可能かを、前記カレンダーの日付毎に判別可能に示す第３の画面を前記端末装置に表示させる第３画面表示制御部と、
を備える、情報処理装置。
【０１９２】
（付記１４）
前記複数の商品は、衣類及び宝飾品である、
付記１３に記載の情報処理装置。
【０１９３】
（付記１５）
前記第３画面表示制御部は、前記第２の画面を更新することによって前記第３の画面を生成して、生成した前記第３の画面を前記端末装置に表示させる、
付記１３又は１４に記載の情報処理装置。
【０１９４】
（付記１６）
前記第２画面表示制御部は、前記第２の画面において前記カレンダーに表示された日付のうちから、レンタル開始日の入力を前記端末装置から受け付け、
前記第３画面表示制御部は、前記第２の画面において前記カレンダーに表示された日付のうちから、レンタル開始日の入力を前記端末装置から受け付ける、
付記１３〜１５のいずれか１項に記載の情報処理装置。
【符号の説明】
【０１９５】
１００    ：情報処理システム
１        ：サーバ装置
１１      ：ＣＰＵ
１２      ：メモリ
１３      ：表示制御部
１３０    ：表示装置
１４      ：記憶装置
１５      ：入力Ｉ／Ｆ
１５１    ：マウス
１５２    ：キーボード
１６      ：読み書き処理部
１６０    ：記録媒体
１７      ：通信Ｉ／Ｆ
１０      ：制御プログラム
１１１    ：第１画面表示制御部
１１２    ：選択受付制御部
１１３    ：第２画面表示制御部
１１４    ：第３画面表示制御部
２        ：端末装置
２０      ：処理プログラム
２１１    ：第１画面表示処理部
２１２    ：選択受付処理部
２１３    ：第２画面表示処理部
２１４    ：第３画面表示処理部
３        ：ネットワーク
３１      ：商品一覧画面
３２      ：レンタルカート画面
３３      ：カレンダー画面
３４      ：商品再選択画面
３５      ：削除商品確認画面
３６      ：配送方法選択画面
４        ：店舗端末
【図１】
2020187538.tif 000003
【図２】
2020187538.tif 000004
【図３】
2020187538.tif 000005
【図４】
2020187538.tif 000006
【図５】
2020187538.tif 000007
【図６】
2020187538.tif 000008
【図７】
2020187538.tif 000009
【図８】
2020187538.tif 000010
【図９】
2020187538.tif 000011
【図１０】
2020187538.tif 000012
【図１１】
2020187538.tif 000013
【図１２】
2020187538.tif 000014
【図１３】
2020187538.tif 000015
【図１４】
2020187538.tif 000016
【図１５】
2020187538.tif 000017
【図１６】
2020187538.tif 000018
【図１７】
2020187538.tif 000019
【図１８】
2020187538.tif 000020